(57)【要約】【課題】可動ステージに対する用紙検出センサの位置を適宜選択設定可能として、用紙の綴りに際して最適な可動ステージと用紙検出センサの設定位置関係を得て、所定位置における正確な用紙綴じを達成する。【解決手段】可動ステージ８と、可動ステージ８に対して相対移動可能でかつ用紙ａの端部ａ１の当接により綴り駆動のための検出信号を発する検出部を有する用紙検出センサ２０とを備えており、可動ステージ８は用紙ａの綴り位置に応じて押し込み設定され、用紙検出センサ２０は可動ステージ８の後部の凹部を挟んだ両部片端部の係合部１０に対して僅かに手前側に位置付けされ、差し込まれた用紙ａの端部ａ１はセンサ２０の検出部に当接して該検出部で検出された後、係合部１０に当接して綴じ作業がなされる。【選択図】図１
2007167990.tif 000002
【特許請求の範囲】
【請求項１】
クリンチ溝を有する綴り台と、綴り台上に設けられたステープル打ち出し機構とを備え、クリンチ溝とステープル打ち出し機構との間に用紙を差し込んで綴じるステープラにおいて、
前記綴り台には、前記用紙の差し込み、引き出し方向にスライド可能で、その表面を上記クリンチ溝を備えたクリンチ部材と略同じ高さにした用紙載置用の可動ステージを設け、この可動ステージには、載置された用紙の端部を位置決めする係合部を起立形成するとともに、上記可動ステージに対して独立して用紙の差し込み、引き出し方向にスライド可能でかつ前記差し込み用紙の端部が前記係合部で位置決めされた後に用紙の綴じ作業を行うべく、前記係合部に位置決めされる前に差し込み過程にある用紙の前記端部を検出する用紙検出センサを設け、該検出センサによる前記用紙端部の検出に基づき前記ステープル打ち出し機構を駆動するようにした
ことを特徴とするステープラ。
【請求項２】
前記可動ステージの用紙の端部の位置決めをする係合部は、可動ステージの後部に形成された凹部を挟んだ一対の部片のそれぞれの端部に設けられ、前記係合部はそれぞれ用紙の差し込み、引き出し方向に直交して延長する該係合部の前記用紙の端部の位置決めを実質的に行う起立面を備えており、前記用紙検出センサは前記凹部内に出入自在とされ、該凹部内に位置付けされて前記係合部の起立面に差し込み用紙の端部が位置付けされる前の差し込み過程にある用紙の端部を検出することを特徴とする、請求項１に記載のステープラ。
【請求項３】
前記用紙検出センサは、前記用紙の端部の位置決めをする可動ステージの前記一対の係合部の起立面と平行な該用紙の端部を検出する検出部である面を備えた板状体であり、前記係合部の起立面と平行な前記面にはその左右方向で延長する複数の鋸歯状凹凸が設けられるとともに、該面の左右方向幅の中央部には上下方向で延長する１つの切り溝開口が設けられていることを特徴とする、請求項２に記載のステープラ。
【発明の詳細な説明】
【技術分野】
【０００１】
本発明は用紙を載置する可動ステージを備えて、用紙の綴り位置に応じて可動ステージをスライドさせて綴りを行うステープラに関する。
【背景技術】
【０００２】
従来の電動ステープラとして、用紙のどの位置にステープルを打ち込むかを調整するために、自動スイッチが付いている綴り位置調整センサを用紙の差し込み、引き出し方向に沿って移動させることで綴り位置を調整するものが知られている。
【０００３】
また、自動スイッチと手動スイッチとを併設したものも知られている。
【０００４】
さらに、用紙の端部を当接させて綴り位置を決める位置決め部材を、用紙の差し込み、引き出し方向に沿ってスライド可能に設けたものも知られている。
【特許文献１】実公平６−４５３４０号公報
【特許文献２】特開２００５−１３８２４８公報
【特許文献３】特開平７−２９０３７３号公報
【発明の開示】
【発明が解決しようとする課題】
【０００５】
ところで、上述した電動ステープラに限らず、従来の固定された綴り台を備えるステープラにあっては、用紙の綴り位置がクリンチ溝から離れたり接近したりすることにより、用紙が綴り台上に載置される部分の面積が変化する。つまり、用紙の綴り位置がクリンチ溝から離れると、用紙は綴り台上に深く差し込まれて載置されるので、綴り台上に載置される部分の面積は大きくなるが、これに反して、際留めのように、用紙の綴り位置がクリンチ溝に接近する場合は、用紙が綴り台上に載置される部分の面積は小さくなり、綴り状態が不安定で、綴じられた用紙が撓んだ状態になったり、綴じ位置がばらついたりする不具合が生じる。
【０００６】
また、上述の固定された綴り台を備えるステープラであって、位置調整センサを用紙の差し込み、引き出し方向に移動して用紙の綴りのための奥行き調整を行う電動ステープラにおいては、上述の不具合に加えて、用紙を差し込む速さに応じてステープルの綴り位置が変化し、つまり、用紙をゆっくり差し込むときには、所望の位置における用紙の綴りができるが、用紙の差し込みが速いとセンサの検出信号を受けてステープル打ち込み機構の駆動がなされる作動間に用紙が更に奥に送入されて、用紙の綴り位置がズレてしまい所望の綴り位置における用紙綴じが行えないという不具合が生じる。
【０００７】
本発明は前記問題点を解消し、用紙の綴り位置に関係なく、用紙を常に同じ広さで支持することができる綴り台を備えるための改良策が施され、かつ用紙の綴りが所望の位置からズレることなく正確に行なえるステープラを提供することをその課題とする。
【課題を解決するための手段】
【０００８】
前記課題を解決するため、請求項１に係る発明は、クリンチ溝を有する綴り台と、綴り台上に設けられたステープル打ち出し機構とを備え、クリンチ溝とステープル打ち出し機構との間に用紙を差し込んで綴じるステープラにおいて、前記綴り台には、前記用紙の差し込み、引き出し方向にスライド可能で、その表面を上記クリンチ溝を備えたクリンチ部材と略同じ高さにした用紙載置用の可動ステージを設け、この可動ステージには、載置された用紙の端部を位置決めする係合部を起立形成するとともに、上記可動ステージに対して独立して用紙の差し込み、引き出し方向にスライド可能でかつ前記差し込み用紙の端部が前記係合部で位置決めされた後に用紙の綴じ作業を行うべく、前記係合部に位置決めされる前の差し込み過程にある用紙の前記端部を検出する用紙検出センサを設け、該検出センサによる前記用紙端部の検出に基づき前記ステープル打ち出し機構を駆動するようにしたことを特徴とする。
【０００９】
請求項２に係る発明は、前記請求項１に記載の発明において、前記可動ステージの用紙の端部の位置決めをする係合部は、可動ステージの後部に形成された凹部を挟んだ一対の部片のそれぞれの端部に設けられ、前記係合部はそれぞれ用紙の差し込み、引き出し方向に直交して延長する該係合部の前記用紙の端部の位置決めを実質的に行う起立面を備えており、前記用紙検出センサは前記凹部内に出入自在とされ、該凹部内に位置付けされて前記係合部の起立面に差し込み用紙の端部が位置付けされる前の差し込み過程にある用紙の端部を検出することを特徴とする。
【００１０】
請求項３に係る発明は、前記請求項２に記載の発明において、前記用紙検出センサは、前記用紙の端部の位置決めをする可動ステージの前記一対の係合部の起立面と平行な該用紙の端部を検出する検出部である面を備えた板状体であり、前記係合部の起立面と平行な前記面にはその左右方向で延長する複数の鋸歯状凹凸が設けられるとともに、該面の左右方向幅の中央部には上下方向で延長する１つの切り溝開口が設けられていることを特徴とする。
【発明の効果】
【００１１】
請求項１に係る発明によれば、スライド移動により用紙の綴り位置のための奥行き設定がなされた可動ステージの係合部に対して、差し込みされる用紙の端部（先端部）が位置決めされる前に、用紙検出センサにより該用紙の端部が検出されるので、検出から綴り駆動までの時間差を考慮した前記係合部に対する前記センサの適切な位置設定が可能であり、該位置設定による検出に基づく綴り駆動で、差し込み用紙の端部が係合部に位置決めされた後、直ちに綴り駆動を行うようにすることができるので、差し込み用紙の差し込み速度の相違による綴り位置のズレの影響は最小限に抑えられて所望位置における精度の高い用紙の綴り作業が可能となる。
【００１２】
また、可動ステージ後方の差し込み用紙の端部を位置決めする起立した係合部に対して用紙検出センサを後方に移動させることで自動綴りから手動綴りに容易に切り替えできるので、自動から手動への切り替えに際して用紙検出センサを外す煩わしさが解消される。
【００１３】
ところで、用紙検出センサがステープラの幅方向中央部で前後方向に可動とされる場合には、該センサはドライバプレートの下方に対峙しているクリンチャ部材の前方に位置付けすることができないので、このためセンサを用いた自動による用紙の端面にきわめて近い位置でのステープル止めは行えないという不具合が生じるが、このような場合にも手動への簡単な切り替えにより対処可能であり、用紙の綴り作業の能率を向上させることができる。
【００１４】
また、用紙を可動ステージの上に載置してクリンチ溝と打ち出し機構との間に差し込み、その端部が係合部に係合するまで押し込む。これにより、用紙が位置決めされるから、別途位置決め部材を設ける必要がない。
【００１５】
用紙端部から遠い位置を綴じる場合も、近接した位置を綴じる場合も、用紙は可動ステージの上面に載置されたままであるから、用紙が支持されている可動ステージの広さは変わらない。したがって、常に安定した綴りが得られる。また、係合部によって用紙の綴じ位置は一定に保持されるので、綴り位置が均一で、仕上りがよくなる。
【００１６】
請求項２に係る発明によれば、請求項１に記載の発明において、用紙検出センサによる差し込み用紙の端部の検出が、可動ステージ後部に形成された凹部内に位置付けされた前記センサによりなされるので、実質的に差し込み用紙端部の左右方向（幅方向）の略中央部が検出されることになり、より正確な用紙端部の検出が可能であり、位置ズレのない所望位置における用紙の綴り作業が実現される。
【００１７】
請求項３に係る発明によれば、請求項２に記載の発明において、用紙検出センサの上記係合部の起立面と平行な検出部である面にはその左右方向（幅方向）に延長する複数の鋸歯状凹凸が設けられ、この鋸歯状凹凸により差し込み用紙の端部が確実に捕捉される。したがって、差し込み用紙の端部の前記面における、すなわち係合部起立面と平行なセンサの前記面における滑りによる移動が効果的に阻止され、差し込み用紙端部の検出の正確性はさらに高まり、位置ズレのない用紙の綴り作業が可能である。
【００１８】
また、上記係合部の起立面と平行な検出部である面の左右方向幅中央部には上下方向で延長する１つの切り溝開口が設けられているので、差し込み用紙のコーナーが切り溝開口で安定して支持されるので、用紙のコーナーの綴り作業が容易かつ正確に行うことができる。
【発明を実施するための最良の形態】
【００１９】
図１（ａ）は打ち込み機構部分を除いて示した電動ステープラの平面図で、同図（ｂ）は側面図であり、また、図１のＸ−Ｘ断面が図２に示されている。前記電動ステープラはクリンチ部材２を有する綴り台１と、綴り台１上に設けられたステープル打ち出し機構を有する打ち出しユニット３とを備え、クリンチ部材２とステープル打ち出しユニット３との間に用紙ａを差し込んで綴じるものである。綴り台１の後半部上部と打ち出しユニット３はカバー４、５で覆われている。
【００２０】
ステープル打ち出しユニット３は、ステープルを打ち込むドライバプレートを駆動するステープル打ち出し機構を備え、この打ち出し機構は電動モータによって作動し、打ち出しユニット３内の先頭のステープルを下方に打ち出すように構成したもので、打ち出されたステープルは用紙ａを貫通してクリンチ溝２ａに当って折れ曲がり、用紙ａを綴じるもので、これらは公知の機構であるから、説明は省略する。
【００２１】
前記綴り台１の前半部には可動ステージ８が設けられている。可動ステージ８は用紙ａを載置する部材で、三方は綴り台１の外形と同じ形状で、内側には凹部９が形成され、凹部９内に綴り台１に設けられたクリンチ溝２ａを備えたクリンチ部材２が配置されるように形成されている。また、可動ステージ８の表面はクリンチ部材２と略同じ高さになるように設定されている。さらに、可動ステージ８の両側後端部の上面には、載置された用紙ａの端部を位置決めする係合部１０が起立形成され、両側前部には指掛け用の凹面部１２が形成されている。また、可動ステージ８には、角綴じ用の案内溝６が刻設されている。
【００２２】
前記可動ステージ８は綴り台１に対して上記用紙ａの差し込み、引き出し方向（前後方向）にスライド可能に設けられている。すなわち、図１（ａ）（ｂ）に示されるように、綴り台１の前半部上面は、クリンチ部材２の周囲のコ字形部１３を残して可動ステージ８の厚さ分だけ低く形成され、上記コ字形部１３の両側の外側面には案内溝１４が形成され、上記コ字形部１３に嵌め込まれる可動ステージ８の凹部９の両側の内側面には上記案内溝１４に係合する片側各１対の突部１５が形成されている。これにより、可動ステージ８は綴り台１に対して水平を保った状態でスライド可能となる。スライドは少しきつめにするのが好ましい。あるいは、スムーズにスライドし、適宜のブレーキ手段により所定位置で制動できるようにしてもよい。
【００２３】
可動ステージ８の両側の後端部は綴り台１のカバー４の下部前端面に係合することによって後方の移動端が決められている。可動ステージ８の前方の移動端は綴り台１にストッパ（図示せず）を設けて規制してもよく、あるいは規制せずに可動ステージ８が綴り台１から抜け出すように構成してもよい。ただし、ストッパを設けた場合でも、ストッパは外部から操作可能とし、可動ステージ８を綴り台１から外すことができるようにして、可動ステージ８は綴り台１に対して着脱可能とできる。
【００２４】
可動ステージ８の後部に形成された凹部９に対向し、かつこの凹部９に対して出入自在に用紙ａの差し込み、引き出し方向（前後方向）でスライド可能な用紙検出センサ２０が設けられ、この用紙検出センサ２０はクリンチ溝２ａを備えたクリンチ部材２の後方で綴り台１上部に設けられた前後方向に所定長さ延長するガイドレール１８に案内されてスライド可能である。
【００２５】
用紙検出センサ２０は、図６（ａ）（ｂ）の参照により理解できるように、下部の基台２１と、基台２１に支軸２２を介して取付けられた所定厚みの板状体２３からなり、下部基台２１は前記ガイドレール１８に沿って移動可能にかつ所定の位置で適宜固定可能に支持され、板状体２３は下部基台２１に対して前記支軸２２を介して所定の力を受けて後方側に所定角度範囲で傾斜可能とされ、かつ図示されない戻しバネ等の作用で上記力が除去された時には初期位置に戻るようになされている。この戻しバネの作用力は用紙の差し込みや差し込まれて位置決めされた用紙に影響しない程度の比較的小さなものが選定される。また、板状体２３には図示されない傾斜ロック手段が適宜設けられる。そして、板状体２３の傾斜時には図示されない検出スイッチがオンして、ステープル打ち出しユニット３を駆動するようになされている。
【００２６】
板状体２３の上部は、左右方向幅（幅方向）の中央の切り溝開口２４を挟んで二股状に分割されており、板状体２３の一方の板面である前側の板面２５は、用紙検出センサ２０の検出部である当接面２７を形成し、この板面２５には左右方向（幅方向）に向かって多数の直線状の鋸歯状凹凸２６が互いに平行な関係をもって延長するように形成されている。鋸歯状凹凸２６は、差し込み用紙ａの端部ａ１のストッパとして機能するものであり、そのために図６の参照で理解できるように下向きの逆止形状の鋸歯状凹凸の形状をなしている。
【００２７】
用紙検出センサ２０は、用紙ａの位置検出に際し、差し込まれる用紙ａの差し込み先端側の端部ａ１を検出するための当接面２７が、可動ステージ８の一対の係合部１０の起立面１１を結ぶ線（ハ）よりも僅かに前側（手前側、すなわち、図１（ａ）、図４（ａ）の要部の拡大図である図３、図５における（イ）の線参照）になるように位置付けられる。そして、用紙ａの端部ａ１に近接した位置を綴じるとき、つまり可動ステージ８を後方に浅く移動させるとき、また、用紙ａの端部ａ１の深い位置を綴じるときのいずれにおいても、上記当接面２７の位置付けができるように上記用紙検出センサ２０の移動範囲を許容する延長構造を前記ガイドレール１８は備えている。
【００２８】
すなわち、可動ステージ８を後方に浅く移動させるときの該可動ステージ８の係合部１０の起立面１１より僅かに前記用紙検出センサ２０の当接面２７が前側に位置付けできるように、また、可動ステージ８を後方に深く移動させるときの該可動ステージ８の係合部１０の起立面１１より僅かに用紙検出センサ２０の当接面２７が前側に位置付けできるように、上記用紙検出センサ２０を移動可能とする延長構造をガイドレール１８は備えている。
【００２９】
なお、カバー５の上部には自動とマニュアルの切替スイッチ１６と、手動で綴じる場合の手動スイッチ１７が設けられている。
【００３０】
前記構成によれば、自動による用紙ａの綴じ作業においては、まず可動ステージ８の両側凹面部１２（図１参照）に指を掛けて該可動ステージ８を前後にスライドさせ、係合部１０の位置を調節して用紙ａの綴り位置を決める。
【００３１】
そして、用紙ａの端部ａ１に近接した位置を綴じるときは、図１（ａ）（ｂ）及び図１（ａ）の要部の拡大図である図３に示されるように、可動ステージ８を後方に浅く移動させる。
【００３２】
次いで、用紙検出センサ２０を前方に移動させて、用紙検出センサ２０をその検出部、つまり当接面２７である一方の板面２５が可動ステージ８の係合部１０の起立面１１から僅かに前側（図３における（イ）の線参照）に位置するようにして位置付け固定した後、用紙ａを可動ステージ８の上に載置してクリンチ溝２ａと打ち出しユニット３との間に差し込み、用紙ａの端部ａ１が係合部１０に係合するまで（図３における（ロ）の線参照）押し込む。
【００３３】
そして、この用紙ａの差し込み過程において、係合部１０の起立面１１より僅か前側に位置付けされた用紙検出センサ２０の当接面２７に用紙ａの端部ａ１が当接して、当接面２７の下向きの逆止形状の鋸歯状凹凸２６により前記用紙ａの端部ａ１が捕捉され、これにより板状体２３が押し込み傾斜されて図示されないスイッチをオンするとともに、可動ステージ８の係合部１０の起立面１１に用紙端部ａ１が当接して用紙ａが位置決めされ、用紙ａの位置決め後、略時を同じくして打ち出しユニット３が作動し用紙ａの端部近接の所定位置が綴じられる。
【００３４】
また、図４（ａ）の１点鎖線図示のように用紙ａの端部ａ１から離れた位置を綴じるときは、該図４の（ａ）（ｂ）及び図４（ａ）の要部の拡大図である図５に示されるように、可動ステージ８を深く移動させる。
【００３５】
次いで用紙検出センサ２０を移動し、該センサ２０の検出部を、つまり当接面２７を、可動ステージ８の係合部１０の起立面１１より僅かに前側（図５における（イ）の線参照）になるように位置付けした後、用紙ａを可動ステージ８の上に載置して係合部１０に当接するまで（図５における（ロ）の線参照）押し込むことで上述の用紙ａの端部ａ１に近接した位置を綴じる時と同様の手順を経て、ステープル打ち出しユニット３により用紙ａの端部ａ１から離れた所定位置が綴じられる。
【００３６】
これに対して、手動による用紙ａの綴じ作業においては、用紙ａの端部ａ１に近接した位置を綴じるとき、また用紙ａの端部ａ１の深い位置を綴じるときのいずれにおいても、用紙ａの用紙検出センサ２０を可動ステージ８の係合部１０の起立面１１、すなわち、両起立面１１を結ぶ線（ハ）から後退させて、差し込み用紙ａの端部ａ１が係合部１０の起立面１１に当接して用紙ａの位置決めが確認され、手動スイッチ１７をオンさせるとステープル打ち出しユニット３が作動し、用紙ａの所定位置が綴じられる。
【００３７】
なお、図４（ａ）及び該図の要部の拡大図である図５における２点鎖線図示のように用紙ａを角綴じするときは手動により行われる。つまり、用紙ａの隣り合う辺を案内溝６に合わせて、用紙ａの用紙検出センサ２０の板状体２３の傾きをロック状態にして、該センサ２０を用紙ａの角ａ２に向けてスライドさせ、板状体２３の切り溝開口２４に用紙ａの角ａ２を当接させて綴じればよい。
【００３８】
本発明の実施形態は上述のような構成であるので、用紙ａの端部ａ１の深い位置を綴じる場合も、端部ａ１に近接した位置を綴じる場合も、用紙ａは広い可動ステージ８の上面に載置されてなされ、用紙ａが支持されている可動ステージ８の広さは変わらない。したがって、常に安定した綴りが得られる。また、係合部１０によって用紙ａの綴じ位置は一定に保持されるので、綴じ位置が均一で、仕上りがよくなる。
【００３９】
用紙ａの自動綴りに際し、用紙検出センサ２０の検出部である当接面２７は、可動ステージ８の係合部１０の起立面１１に対して僅かに前側（図３及び図５における（イ）の線参照）に位置付けされる。したがって、用紙ａの端部ａ１は当接面２７に当接して鋸歯状凹凸２６により確実に捕捉され、用紙ａの押し込み力で板状体２３が傾けられスイッチがオンし、略時を同じくして用紙ａの端部ａ１が係合部１０の起立面１１に当接するので、用紙ａの差し込み速さに左右されず所望の位置における正確な用紙綴じが行われる。
【００４０】
用紙検出センサ２０の検出部である当接面２７を下向きの逆止形状の鋸歯状凹凸２６とすることで、差し込み用紙ａの端部ａ１を一層確実に捕捉して上述のように上記用紙検出センサ２０の板状体２３を所定傾斜角で傾斜させ前記スイッチをオンするが、板状体２３は用紙ａの端部ａ１が可動ステージ８の係合部の起立面１１で位置決めされるまで、その傾斜過程において鋸歯状凹凸２６で用紙ａの端部ａ１を保持するので用紙ａの奥側への滑り移動が効果的に阻止される。
【００４１】
また、下向きの逆止形状の鋸歯状凹凸２６とすることにより用紙ａの端部ａ１の捕捉は、用紙ａの差し込み速さに左右されることなく一層確実になされるので、用紙ａの差し込み速さの違いによる用紙ａの綴じ位置のズレは殆ど生じない。
【００４２】
用紙検出センサ２０を可動ステージ８の係合部の起立面１１に対して後方に位置付けするだけで自動による綴りから手動による綴りに容易に切り替えることができるので、使い勝っての良いステープラが提供できる。
【００４３】
なお、本発明の実施形態のステープラは、通常の用紙だけでなく、ブリスターパックなどを綴じる場合にも適用することができる。したがって、本明細書において、用紙とは、事務書類だけでなく、ブリスターパックなどのように、ステープラによって綴じの対象となるものを含むものとする。
【図面の簡単な説明】
【００４４】
【図１】（ａ）（ｂ）は綴り位置を用紙の端部に近接させた場合の可動ステージと用紙の状態を示した電動ステープラの平面図および側面図であり、打ち込み機構部分が除かれた図である。
【図２】図１（ａ）のＸ−Ｘ線上の断面図である。
【図３】図１（ａ）における要部の拡大図である。
【図４】（ａ）（ｂ）は、綴り位置を用紙端部の深い位置とした場合と、用紙の角部とした場合の可動ステージと用紙の状態を、図１（ａ）（ｂ）と同じ態様で示す電動ステープラの平面図および側面図である。
【図５】図４（ａ）における要部の拡大図である。
【図６】（ａ）（ｂ）は、可動ステージ及び用紙検出センサの外観斜視構造と、可動ステージと用紙検出センサの相対移動位置関係を示す説明用略図である。
【符号の説明】
【００４５】
ａ    用紙
１    綴り台
２    クリンチ部材
８    可動ステージ
１０  係合部
２０  用紙検出センサ
【図１】
2007167990.tif 000003
【図２】
2007167990.tif 000004
【図３】
2007167990.tif 000005
【図４】
2007167990.tif 000006
【図５】
2007167990.tif 000007
【図６】
2007167990.tif 000008